(57)【特許請求の範囲】
【請求項１】
文書内の記入欄における筆記具に関する情報である筆記具情報を受け付ける筆記具情報受付手段と、
前記文書内の位置を示す位置情報及び前記筆記具情報受付手段によって受け付けられた筆記具情報に基づいて、情報を示す画像である情報画像を生成する情報画像生成手段と、
前記情報画像生成手段によって生成された情報画像を前記文書内の前記記入欄に合成する合成手段と、
前記合成手段によって情報画像が合成された文書を媒体に出力する出力手段
を備える画像出力装置と、
筆記具に関する情報である筆記具情報を記憶する筆記具情報記憶手段と、
前記画像出力装置によって媒体に出力されており、前記筆記具による筆記位置を抽出するための情報画像を読み取る読取手段と、
前記読取手段によって読み取られた情報画像を解析して、筆記具情報を抽出する抽出手段と、
前記抽出手段によって抽出された筆記具情報と前記筆記具情報記憶手段によって記憶されている筆記具情報を比較して、前記読取手段によって読み取られた位置に対して筆記する筆記具として適しているか否かを判断する判断手段と、
前記判断手段によって、前記読取手段によって読み取られた位置に対して筆記する筆記具として適していないと判断された場合に、警告を発すると共に、前記筆記具を収容する制御を行う制御手段
を備える画像読取装置を具備することを特徴とする画像処理装置。
【請求項２】
筆記具に関する情報である筆記具情報を記憶する筆記具情報記憶手段と、
文書内の記入欄における筆記具に関する情報である筆記具情報と該文書内の位置を示す位置情報とに基づいて生成された情報を示す画像である情報画像が合成された文書に対する筆記具による筆記位置を抽出するための情報画像を読み取る読取手段と、
前記読取手段によって読み取られた情報画像を解析して、筆記具情報を抽出する抽出手段と、
前記抽出手段によって抽出された筆記具情報と前記筆記具情報記憶手段によって記憶されている筆記具情報を比較して、前記読取手段によって読み取られた位置に対して筆記する筆記具として適しているか否かを判断する判断手段と、
前記判断手段によって、前記読取手段によって読み取られた位置に対して筆記する筆記具として適していないと判断された場合に、警告を発すると共に、前記筆記具を収容する制御を行う制御手段
を具備することを特徴とする画像処理装置。
【請求項３】
前記読取手段によって読み取られた情報画像を解析して、位置情報を抽出する位置情報抽出手段と、
前記位置情報抽出手段によって抽出された位置情報を出力する第２の出力手段と、
前記判断手段によって、前記読取手段によって読み取られた位置に対して筆記する筆記具として適していないと判断された場合に、前記第２の出力手段に前記位置情報抽出手段によって抽出された位置情報を出力しないように制御する出力制御手段
をさらに具備することを特徴とする請求項１又は２に記載の画像処理装置。
【請求項４】
コンピュータを、
筆記具に関する情報である筆記具情報を記憶する筆記具情報記憶手段と、
文書内の記入欄における筆記具に関する情報である筆記具情報と該文書内の位置を示す位置情報とに基づいて生成された情報を示す画像である情報画像が合成された文書に対する筆記具による筆記位置を抽出するための情報画像を読み取る読取手段と、
前記読取手段によって読み取られた情報画像を解析して、筆記具情報を抽出する抽出手段と、
前記抽出手段によって抽出された筆記具情報と前記筆記具情報記憶手段によって記憶されている筆記具情報を比較して、前記読取手段によって読み取られた位置に対して筆記する筆記具として適しているか否かを判断する判断手段と、
前記判断手段によって、前記読取手段によって読み取られた位置に対して筆記する筆記具として適していないと判断された場合に、警告を発すると共に、前記筆記具を収容する制御を行う制御手段
として機能させるための画像処理プログラム。
【発明の詳細な説明】
【技術分野】
【０００１】
本発明は、画像処理装置及び画像処理プログラムに関する。
【背景技術】
【０００２】
記録媒体上に配置される情報画像の構成や、情報画像が配置された記録媒体に書き込まれた情報の読取制御に関する技術がある。
これに関連する技術として、例えば、特許文献１には、印刷された文書に加筆すると電子的な原文書に自動的に反映されるシステムを提供することを課題とし、入力装置に入力が行われると、その筆記時にその文書又はその場所に対して筆記可能かどうかの判定をし、さらに使用者に知らせ、そのためには、まず筆記可能あるいは逆に筆記不可能な文書の識別情報（例えば特定の文書に筆記できない場合）、座標情報（例えば用紙の端など特定の座標に筆記できない場合）、あるいはその組み合わせたもの（例えばある文書のある部分は筆記できない場合）を筆記具に登録する必要があり、次に筆記時に筆記可能あるいは不可能かを判定部で判定し、通信部はインタフェース部と兼用でもよく、筆記者に例えば筆記不可能という警告を発するには例えば音や光（ＬＥＤの点滅等）、あるいは振動といった方法で知らせることが開示されている。
【０００３】
また、例えば、特許文献２には、記載内容改ざん防止機能がついた電子ペンを利用した書類の記入システムにおいて、初期に電子ペンの使用により電子処理用ペーパに記入された電子情報を故意あるいは事故により書き換えられる可能性をなくすことを課題とし、一旦記入された電子処理ペーパ内の追記や修正を禁止したい領域に新たな微細パターンを印刷する手段を設け、この印刷で、電子処理ペーパ上の本来存在するドットパターンにさらに微細パターンを追加し、電子ペンによる情報入力を原理的に不可能とすることが開示されている。
【先行技術文献】
【特許文献】
【０００４】
【特許文献１】特開２００３−２６３２６７号公報
【特許文献２】特開２００５−１５７９３４号公報
【発明の概要】
【発明が解決しようとする課題】
【０００５】
本発明は、画像読取装置に筆記可能な文書に関する情報を記憶させることをしないで、筆記しようとしている文書内の記入欄に適している筆記具であるか否かを判断するようにした画像処理装置及び画像処理プログラムを提供することを目的としている。
【課題を解決するための手段】
【０００６】
かかる目的を達成するための本発明の要旨とするところは、次の各項の発明に存する。
請求項１の発明は、文書内の記入欄における筆記具に関する情報である筆記具情報を受け付ける筆記具情報受付手段と、前記文書内の位置を示す位置情報及び前記筆記具情報受付手段によって受け付けられた筆記具情報に基づいて、情報を示す画像である情報画像を生成する情報画像生成手段と、前記情報画像生成手段によって生成された情報画像を前記文書内の前記記入欄に合成する合成手段と、前記合成手段によって情報画像が合成された文書を媒体に出力する出力手段を備える画像出力装置と、筆記具に関する情報である筆記具情報を記憶する筆記具情報記憶手段と、前記画像出力装置によって媒体に出力されており、前記筆記具による筆記位置を抽出するための情報画像を読み取る読取手段と、前記読取手段によって読み取られた情報画像を解析して、筆記具情報を抽出する抽出手段と、前記抽出手段によって抽出された筆記具情報と前記筆記具情報記憶手段によって記憶されている筆記具情報を比較して、前記読取手段によって読み取られた位置に対して筆記する筆記具として適しているか否かを判断する判断手段と、前記判断手段によって、前記読取手段によって読み取られた位置に対して筆記する筆記具として適していないと判断された場合に、警告を発すると共に、前記筆記具を収容する制御を行う制御手段を備える画像読取装置を具備することを特徴とする画像処理装置である。
【０００８】
請求項２の発明は、筆記具に関する情報である筆記具情報を記憶する筆記具情報記憶手段と、文書内の記入欄における筆記具に関する情報である筆記具情報と該文書内の位置を示す位置情報とに基づいて生成された情報を示す画像である情報画像が合成された文書に対する筆記具による筆記位置を抽出するための情報画像を読み取る読取手段と、前記読取手段によって読み取られた情報画像を解析して、筆記具情報を抽出する抽出手段と、前記抽出手段によって抽出された筆記具情報と前記筆記具情報記憶手段によって記憶されている筆記具情報を比較して、前記読取手段によって読み取られた位置に対して筆記する筆記具として適しているか否かを判断する判断手段と、前記判断手段によって、前記読取手段によって読み取られた位置に対して筆記する筆記具として適していないと判断された場合に、警告を発すると共に、前記筆記具を収容する制御を行う制御手段を具備することを特徴とする画像処理装置である。
【００１１】
請求項３の発明は、前記読取手段によって読み取られた情報画像を解析して、位置情報を抽出する位置情報抽出手段と、前記位置情報抽出手段によって抽出された位置情報を出力する第２の出力手段と、前記判断手段によって、前記読取手段によって読み取られた位置に対して筆記する筆記具として適していないと判断された場合に、前記第２の出力手段に前記位置情報抽出手段によって抽出された位置情報を出力しないように制御する出力制御手段をさらに具備することを特徴とする請求項１又は２に記載の画像処理装置である。
【００１３】
請求項４の発明は、コンピュータを、筆記具に関する情報である筆記具情報を記憶する筆記具情報記憶手段と、文書内の記入欄における筆記具に関する情報である筆記具情報と該文書内の位置を示す位置情報とに基づいて生成された情報を示す画像である情報画像が合成された文書に対する筆記具による筆記位置を抽出するための情報画像を読み取る読取手段と、前記読取手段によって読み取られた情報画像を解析して、筆記具情報を抽出する抽出手段と、前記抽出手段によって抽出された筆記具情報と前記筆記具情報記憶手段によって記憶されている筆記具情報を比較して、前記読取手段によって読み取られた位置に対して筆記する筆記具として適しているか否かを判断する判断手段と、前記判断手段によって、前記読取手段によって読み取られた位置に対して筆記する筆記具として適していないと判断された場合に、警告を発すると共に、前記筆記具を収容する制御を行う制御手段として機能させるための画像処理プログラムである。
【発明の効果】
【００１４】
請求項１の画像処理装置によれば、画像読取装置に筆記可能な文書に関する情報を記憶させることをしないで、筆記しようとしている文書内の記入欄に適している筆記具であるか否かを判断することができる。また、文書内の記入欄に適していない筆記具であることを利用者に警告することができる。さらに、文書内の記入欄に適していない筆記具で筆記されてしまうことを防止することができる。
【００１６】
請求項２の画像処理装置によれば、画像読取装置に筆記可能な文書に関する情報を記憶させることをしないで、筆記しようとしている文書内の記入欄に適している筆記具であるか否かを判断することができる。また、文書内の記入欄に適していない筆記具であることを利用者に警告することができる。さらに、文書内の記入欄に適していない筆記具で筆記されてしまうことを防止することができる。
【００１９】
請求項３の画像処理装置によれば、文書内の記入欄に適していない筆記具で筆記された場合の位置情報の出力を防止することができる。
【００２１】
請求項４の画像処理プログラムによれば、画像読取装置に筆記可能な文書に関する情報を記憶させることをしないで、筆記しようとしている文書内の記入欄に適している筆記具であるか否かを判断することができる。また、文書内の記入欄に適していない筆記具であることを利用者に警告することができる。さらに、文書内の記入欄に適していない筆記具で筆記されてしまうことを防止することができる。
【図面の簡単な説明】
【００２２】
【図１】本実施の形態（画像出力装置）の構成例についての概念的なモジュール構成図である。
【図２】本実施の形態（画像出力装置）による処理例を示すフローチャートである。
【図３】本実施の形態を実現するためのシステム構成例を示す説明図である。
【図４】電子文書と情報画像付文書の例を示す説明図である。
【図５】記入欄・筆記具情報テーブルのデータ構造例を示す説明図である。
【図６】文書・ページ・筆記具情報テーブルのデータ構造例を示す説明図である。
【図７】文書・筆記具情報テーブルのデータ構造例を示す説明図である。
【図８】文書レイアウトテーブルのデータ構造例を示す説明図である。
【図９】情報画像の例を示す説明図である。
【図１０】本実施の形態（画像読取装置）の構成例についての概念的なモジュール構成図である。
【図１１】本実施の形態（画像読取装置）による処理例を示すフローチャートである。
【図１２】デジタルペンの構造例を示す説明図である。
【図１３】ストローク情報テーブルのデータ構造例を示す説明図である。
【図１４】筆記具情報テーブルのデータ構造例を示す説明図である。
【図１５】本実施の形態（画像読取装置）による別の処理例を示すフローチャートである。
【図１６】職階の階層構造の例を示す説明図である。
【図１７】記入欄・筆記具情報テーブルのデータ構造例を示す説明図である。
【図１８】筆記具情報テーブルのデータ構造例を示す説明図である。
【図１９】本実施の形態を実現するコンピュータのハードウェア構成例を示すブロック図である。
【発明を実施するための形態】
【００２３】
以下、図面に基づき本発明を実現するにあたっての好適な一実施の形態の例を説明する。
図１は、本実施の形態（画像出力装置）の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２４】
本実施の形態である画像処理装置（画像出力装置）は、文書に情報画像を合成して出力するものであって、図１の例に示すように、筆記具情報受付モジュール１１０、文書レイアウト受付モジュール１２０、文書受付モジュール１３０、情報画像生成モジュール１４０、情報画像合成モジュール１５０、出力モジュール１６０を有している。
なお、情報画像とは、機械可読な態様で電子データを表すために体系的に作られた画像コードをいい、具体的な例として、図９を用いて後述する。
【００２５】
文書受付モジュール１３０は、情報画像合成モジュール１５０と接続されている。文書受付モジュール１３０は、情報画像を合成する対象となる文書を受け付けて、その文書を情報画像合成モジュール１５０へ渡す。なお、文書とは、テキストデータ、場合によっては図形、画像等の電子データ、又はこれらの組み合わせであり、出力（主に印刷）、記憶、編集及び検索等の対象となり、システム又は利用者間で個別の単位として交換できるものをいい、これらに類似するものを含む。文書を受け付けるとは、例えば、文書作成アプリケーションによって作成された電子文書を受け付けること、スキャナ、カメラ等で画像を読み込むこと、ファックス等で通信回線を介して外部機器から画像を受信すること、ハードディスク（画像処理装置に内蔵されているものの他に、ネットワークを介して接続されているもの等を含む）等に記憶されている電子文書を読み出すこと等が含まれる。文書の画像は、２値画像であってもよいし、多値画像（カラー画像を含む）であってもよい。受け付ける画像は、１ページであってもよいし、複数ページであってもよい。また、画像の内容として、利用者による手書きの書き込みが想定されている記入欄があるものであり、例えば、検査表、申請書等が該当する。なお、記入欄の形態は、一般的には、線で囲まれた矩形の領域であるが、括弧等によって囲まれた領域等であってもよい。これらに限定されず、明確な区切りではない空白領域であってもよい。この空白領域として、例えば、予め定められた面積以上の空白領域であってもよいし、ページ全体、複数ページである文書全体等であってもよい。また、記入欄に記入されるものは、後述するデジタルペン（筆記具）で筆記されるものであれば、文字、チェック等の記号、図等であってもよい。
【００２６】
文書レイアウト受付モジュール１２０は、情報画像生成モジュール１４０と接続されている。文書レイアウト受付モジュール１２０は、文書受付モジュール１３０によって受け付けられた文書のレイアウトに関する情報を受け付け、そのレイアウト情報を情報画像生成モジュール１４０へ渡す。ここでレイアウト情報とは、少なくとも記入欄の位置、大きさを示す情報が含まれている。また、記入欄以外の文書構成（タイトル、段落、図、表等）の位置、大きさを示す情報が含まれていてもよい。
【００２７】
筆記具情報受付モジュール１１０は、情報画像生成モジュール１４０と接続されている。筆記具情報受付モジュール１１０は、文書内の記入欄における筆記具に関する情報である筆記具情報を受け付ける。
ここでの筆記具情報（情報画像に埋め込まれる筆記具情報）とは、文書内に記入欄がある場合において、その記入欄に記入するための後述するデジタルペンに関する情報であればよく、例えば、
（１）そのデジタルペンを使用する権限（役職、役割等）を示す情報である権限情報がある。より具体的には、一般担当、承認、経理担当、経理承認等を示す情報である。
（２）そのデジタルペンを使用する職階を示す情報である職階情報がある。より具体的には、部長、グループ長、チーム長、一般等を示す情報である。
（３）そのデジタルペンを使用する所有者を示す情報である所有者情報がある。より具体的には、社員ＩＤ（ＩＤｅｎｔｉｆｉｃａｔｉｏｎ）等を示す情報である。
（４）そのデジタルペンの属性を示す情報である属性情報がある。より具体的には、そのデジタルペンのインク色等を示す情報である。
（５）そのデジタルペンを識別し得る情報である筆記具識別情報がある。より具体的には、そのデジタルペンを一意に識別し得る製造番号等を示す情報である。
また、筆記具情報は、これらの組み合わせ（ＡＮＤ、ＯＲ、ＮＯＴ等の論理的演算子を用いた組み合わせ）であってもよい。
例えば、文書受付モジュール１３０が受け付けた文書には、一般担当者が記入する欄Ａと承認者が記入する欄Ｂとが区別されている場合には、筆記具情報受付モジュール１１０は、その文書の欄Ａには、筆記具情報としての一般担当者を示す情報、欄Ｂには、筆記具情報としての承認者を示す情報を受け付けることになる。そして、出力モジュール１６０が媒体に出力する文書の欄Ａには、筆記具情報としての一般担当者を示す情報が含まれている情報画像が合成されており、欄Ｂには、筆記具情報としての承認者を示す情報が含まれている情報画像が合成されていることになる。
また、筆記具情報の指定については、利用者のマウス、キーボード、タッチパネル等を用いた指定を受け付けてもよいし、各欄に予め定められた筆記具情報を受け取るようにしてもよい。
【００２８】
情報画像生成モジュール１４０は、筆記具情報受付モジュール１１０、文書レイアウト受付モジュール１２０、情報画像合成モジュール１５０と接続されている。情報画像生成モジュール１４０は、文書受付モジュール１３０によって受け付けられた文書内の位置を示す位置情報及び筆記具情報受付モジュール１１０によって受け付けられた筆記具情報に基づいて、情報を示す画像である情報画像を生成する。文書レイアウト受付モジュール１２０によって受け付けられたレイアウト情報（具体的には、記入欄の位置、大きさを示す情報）、筆記具情報を用いて、その記入欄内に合成する情報画像を生成する。ここで「基づいて」とは、少なくとも位置情報及び筆記具情報を含めた情報を、情報画像に埋め込むことをいう。つまり、その情報画像を解析した場合に、位置情報及び筆記具情報を読み出し得るようにすればよい。情報画像内に埋め込む位置情報とは、デジタルペンでその位置情報が埋め込まれている情報画像を読み込んだ場合に、そのデジタルペンの筆跡を再現できるようにしている情報であり、例えば、その文書内におけるＸＹ座標等が該当する。具体的には、位置情報として、記入欄の位置、大きさから定められる領域が示すその文書におけるＸＹ座標の集合が該当する。
また、情報画像生成モジュール１４０は、さらに文書を示す文書情報に基づいて、情報画像を生成するようにしてもよい。文書情報として、例えば、文書ＩＤ、ページＩＤ等が該当する。なお、文書ＩＤ、ページＩＤ等については、図３の例の説明で述べる。
【００２９】
情報画像合成モジュール１５０は、文書受付モジュール１３０、情報画像生成モジュール１４０、出力モジュール１６０と接続されている。情報画像合成モジュール１５０は、情報画像生成モジュール１４０によって生成された情報画像を文書受付モジュール１３０によって受け付けられた文書内の記入欄に合成する。もちろんのことながら、記入欄以外の領域に情報画像を合成するようにしてもよい。記入欄以外の領域に合成する情報画像には、筆記具情報は含まれていない。なお、前述したように記入欄としては、ページ全体、文書全体という場合もあり得るので、その場合は筆記具情報が含まれている情報画像がページ全体、文書全体に合成されることになる。
【００３０】
出力モジュール１６０は、情報画像合成モジュール１５０と接続されている。出力モジュール１６０は、情報画像合成モジュール１５０によって情報画像が合成された文書を媒体に出力する。文書を出力するとは、例えば、プリンタ等の印刷装置で印刷すること、ファックス等の画像送信装置で画像を送信すること等が該当する。また、ディスプレイ等の表示装置に表示すること、画像データベース等の画像記憶装置へ画像を書き込むこと、メモリーカード等の記憶媒体に記憶すること、他の情報処理装置へ渡すこと等を行ってもよいが、最終的にはデジタルペンで筆記し得るように紙、プラスチック等の媒体に出力する。
【００３１】
図２は、本実施の形態（画像出力装置）による処理例を示すフローチャートである。
ステップＳ２０２では、文書受付モジュール１３０が、対象となる文書を受け付ける。
ステップＳ２０４では、文書レイアウト受付モジュール１２０が、対象となる文書のレイアウト（少なくとも記入欄の位置、大きさ）を受け付ける。
ステップＳ２０６では、筆記具情報受付モジュール１１０が、対象となる文書内の記入欄に適している筆記具情報を受け付ける。
ステップＳ２０８では、情報画像生成モジュール１４０が、記入欄内の位置と筆記具情報を含む情報画像を生成する。
ステップＳ２１０では、情報画像合成モジュール１５０が、対象となる文書内の記入欄に情報画像を合成する。
ステップＳ２１２では、出力モジュール１６０が、情報画像が合成された文書を媒体に出力する。
【００３２】
図３は、本実施の形態を実現するためのシステム構成例を示す説明図である。システムとして、文書作成用情報処理装置３１０、文書ＤＢ３２０、情報画像生成用画像処理装置３３０、デジタルペン３５０、書戻用情報処理装置３６０を含む例を示すが、デジタルペン３５０が読み取った位置に対して筆記するデジタルペンとして適しているか否かを判断するためには、情報画像生成用画像処理装置３３０とデジタルペン３５０があればよい。
このシステムは、次のような処理を行うものである。電子文書に位置情報（座標情報）を含む情報画像を重畳して印刷し、それを情報画像生成用画像処理装置３３０で印刷する。それを小型のカメラを内蔵したデジタルペン３５０で読み取ることで、手書き情報がストローク情報としてデジタルペン内に蓄積される。デジタルペン３５０をＵＳＢなどでＰＣ等の書戻用情報処理装置３６０に接続すると、書戻用情報処理装置３６０内のストローク情報抽出モジュール３６２、書戻モジュール３６４がストローク情報をデジタルペン３５０から抽出し、文書ＩＤから元の電子文書を特定し、その電子文書にストローク情報を書き戻す。また、デジタルペン３５０は無線通信によってストローク情報を書戻用情報処理装置３６０に送信してもよい。
【００３３】
文書作成用情報処理装置３１０は、文書作成アプリケーション３１２、筆記具情報指定モジュール３１４を有しており、文書ＤＢ３２０、情報画像生成用画像処理装置３３０と接続されている。
文書作成アプリケーション３１２は、電子文書を作成し、情報画像生成用画像処理装置３３０に手書きによる追記の対象となる情報画像付文書３４０を印刷させるアプリケーションプログラムである。
【００３４】
筆記具情報指定モジュール３１４は、記入欄におけるデジタルペンに関する情報である筆記具情報を指定する。例えば、記入欄・筆記具情報テーブル５００を情報画像生成用画像処理装置３３０へ渡す。そして、情報画像生成用画像処理装置３３０内の筆記具情報受付モジュール１１０は、記入欄・筆記具情報テーブル５００を受け取る。図５は、記入欄・筆記具情報テーブル５００のデータ構造例を示す説明図である。記入欄・筆記具情報テーブル５００は、記入欄ＩＤ欄５１０、筆記具情報欄５２０を有している。記入欄ＩＤ欄５１０は、図３に例示するシステムにおいて記入欄を一意に識別するための情報である記入欄ＩＤを記憶し、筆記具情報欄５２０は、その記入欄に対して筆記するのに適しているデジタルペンに関する情報を記憶する。
【００３５】
また、筆記具情報指定モジュール３１４は、記入欄・筆記具情報テーブル５００の代わりに文書・ページ・筆記具情報テーブル６００を情報画像生成用画像処理装置３３０に渡すようにしてもよい。つまり、記入欄としての役割がページ全体になる場合であり、そのページ全体に対して筆記するのに適しているデジタルペンを指定していることになる。そして、情報画像生成用画像処理装置３３０内の筆記具情報受付モジュール１１０は、文書・ページ・筆記具情報テーブル６００を受け取る。図６は、文書・ページ・筆記具情報テーブル６００のデータ構造例を示す説明図である。文書・ページ・筆記具情報テーブル６００は、文書ＩＤ欄６１０、ページＩＤ欄６２０、筆記具情報欄６３０を有している。文書ＩＤ欄６１０は、図３に例示するシステムにおいて文書を一意に識別するための情報である文書ＩＤを記憶し、ページＩＤ欄６２０は、その文書においてページを一意に識別するための情報であるページＩＤを記憶し、筆記具情報欄６３０は、そのページに対して筆記するのに適しているデジタルペンに関する情報を記憶する。
【００３６】
また、筆記具情報指定モジュール３１４は、記入欄・筆記具情報テーブル５００の代わりに文書・筆記具情報テーブル７００を情報画像生成用画像処理装置３３０に渡すようにしてもよい。つまり、記入欄としての役割が文書全体（複数ページある場合はその複数ページ全体）になる場合であり、その文書全体に対して筆記するのに適しているデジタルペンを指定していることになる。そして、情報画像生成用画像処理装置３３０内の筆記具情報受付モジュール１１０は、文書・筆記具情報テーブル７００を受け取る。図７は、文書・筆記具情報テーブル７００のデータ構造例を示す説明図である。文書・筆記具情報テーブル７００は、文書ＩＤ欄７１０、筆記具情報欄７２０を有している。文書ＩＤ欄７１０は、図３に例示するシステムにおいて文書を一意に識別するための情報である文書ＩＤを記憶し、筆記具情報欄７２０は、その文書に対して筆記するのに適しているデジタルペンに関する情報を記憶する。
【００３７】
文書作成アプリケーション３１２は、文書印刷時には、印刷するデバイス名（プリンタ名、情報画像生成用画像処理装置３３０の名称）を指定して、文書イメージを生成して文書ＩＤと共に筆記具情報指定モジュール３１４によって指定された筆記具情報を情報画像生成用画像処理装置３３０に渡して、印刷指示を行う。印刷された情報画像には、記入欄毎に筆記具情報が埋め込まれている。そして、作成された電子文書を文書ＤＢ３２０に記憶させる。また、対象とする文書の記入欄のレイアウトに関する情報（例えば、文書レイアウトテーブル８００）も情報画像生成用画像処理装置３３０に渡す。そして、情報画像生成用画像処理装置３３０内の文書レイアウト受付モジュール１２０がレイアウトに関する情報を受け取る。図８は、文書レイアウトテーブル８００のデータ構造例を示す説明図である。文書レイアウトテーブル８００は、記入欄ＩＤ欄８１０、位置欄８２０、高さ欄８３０、幅欄８４０を有している。記入欄ＩＤ欄８１０は、記入欄ＩＤを記憶する。位置欄８２０は、その記入欄の例えば左上の位置を記憶する。高さ欄８３０は、その記入欄の高さを記憶する。幅欄８４０は、その記入欄の幅を記憶する。
【００３８】
文書ＤＢ３２０は、文書作成用情報処理装置３１０、書戻用情報処理装置３６０と接続されている。文書ＤＢ３２０は、文書作成アプリケーション３１２によって作成された電子文書を記憶する。そして、その記憶されている電子文書に、書戻モジュール３６４によってデジタルペン３５０による筆記情報が合成される。
【００３９】
情報画像生成用画像処理装置３３０は、文書作成用情報処理装置３１０と接続されており、図１の例に示した画像処理装置（画像出力装置）であり、文書作成用情報処理装置３１０によって作成された電子文書を印刷し、情報画像が合成された情報画像付文書３４０を出力する。情報画像付文書３４０は、電子文書を印刷して生成される紙文書であって、位置情報が情報画像として重畳されて印刷された紙文書である。なお、情報画像内には、文書ＩＤ等が埋め込まれていてもよい。
【００４０】
ここで、図４を用いて、電子文書４１０と情報画像付文書３４０の例を説明する。
図４（ａ）に例示する電子文書４１０は、文書作成アプリケーション３１２によって作成された文書であり、文書ＤＢ３２０に記憶されている。例えば、６個の記入欄があり、それぞれの記入欄には、その記入欄に筆記するのに適しているデジタルペンの筆記具情報が指定されたとする。
図４（ｂ）に例示する情報画像付文書３４０は、情報画像生成用画像処理装置３３０によって印刷された紙文書であり、利用者によるデジタルペン３５０の操作によって書き込みが行われる。情報画像付文書３４０の記入欄４２１、記入欄４２２、記入欄４２３、記入欄４２４、記入欄４２５、記入欄４２６内には、位置情報の他にそれぞれの筆記具情報も埋め込まれている情報画像が合成されている。そして、背景４２９には、位置情報が埋め込まれている情報画像が合成されている。なお、背景４２９には、情報画像を合成しなくてもよい。
【００４１】
図９は、情報画像の例を示す説明図である。
この例は、米国ゼロックス社のパロアルト研究所で開発された、角度の異なる斜線でデータを表現するグリフコード（例えば、特開平６−１０３３９０号公報、特開平６−７５７９５号公報）を情報画像であるコードシンボルとして用いた２次元コードパターン画像である。
【００４２】
この例では、単位領域９００は８シンボル×８シンボルの正方形領域である。各シンボルの値は、図９（ｂ）、図９（ｃ）に示すように斜線パターンで表現される。この例では、シンボル値０は垂直線に対して反時計回りに４５度の角度をなす右下がりの斜線（図９（ｂ）の例のパターン０）で、シンボル値１は垂直線に対して時計回りに４５度の角度をなす右上がりの斜線（図９（ｃ）の例のパターン１）で表現される。
【００４３】
このうち、位置コード画像９０２は、単位領域９００の左上隅の６シンボル×６シンボルの正方形の画像であり、識別コード画像９０４は、単位領域９００からその６×６シンボルの正方形を引いた残りの逆Ｌ字領域の画像となる。
【００４４】
また、この例では、単位領域９００の外周に沿って縦横の各方向に、同期コード９０６の列及び行を設けている。この例では、同期コード９０６は、右上がり（「１」）の斜線シンボルの連続であり、シンボルのサイズと配列ピッチは単位領域９００内のシンボルサイズ及びピッチと同じである。同期コード９０６は、縦及び横に等間隔で設けられ、それら同期コード９０６で囲まれる正方形領域に各単位領域９００が設けられる。同期コード９０６は、各単位領域９００の区切りを示す。すなわち、２次元コードパターン画像を読み取った装置では、右上がりのシンボルが連続している行及び列を検出すると、それら行と列とで形成される格子の網目の内部を単位領域９００と認識することができ、その単位領域９００の左上隅の６×６のシンボルが位置コード画像９０２と認識できる。
【００４５】
なお、同期コード９０６は、単位領域９００又は位置コード画像９０２の場所を特定することができるものであれば、図９に例示したようなものでなくてもよい。例えば、単位領域９００の四隅に斜線シンボルとは異なる特定形状のシンボルを配置したものを同期コード９０６としてもよい。図９の例では、同期コード９０６のためにシンボル１つ分の幅の行及び列を使ったが、同期コード９０６を構成するマークが十分に小さいものであれば、単位領域９００を隙間なく２次元配列し、隣接する単位領域９００の余白部分にそのマークを配置するようにしてもよい。
【００４６】
図９の例では、１つの位置コード画像９０２には合計３６シンボル、すなわち３６ビットのデータが格納されている。３６ビットのうち、１８ビットをｘ座標の符号化に、１８ビットをｙ座標の符号化に使用することができる。各１８ビットを全て位置の符号化に使用すると、２＾１８通り（約２６万通り）の位置を符号化できる。各斜線パターンが、図９（ｂ）、図９（ｃ）の例に示したように８画素×８画素で構成されている場合、６００ｄｐｉ（ドット・パー・インチ）で印刷すると、６００ｄｐｉの１ドットの縦横の長さは０．０４２３ｍｍなので、縦横共に、図９の２次元コード（同期コード９０６を含む）の縦、横の長さは３ｍｍ程度（＝１シンボル当たり８画素×９シンボル×０．０４２３ｍｍ）となる。３ｍｍ間隔で２６万通りの位置を符号化した場合、約７８６ｍの長さを符号化できる。読取の精度がよければ１８ビット全てを位置の符号化に使用することもできるが、読取エラーが問題となる場合は、誤り検出や誤り訂正のための冗長ビットを含めることが好適である。１８ビットに占める冗長ビットの割合を増やすと誤り検出や誤り訂正の能力が増えるが、表現できる位置の範囲が小さくなる。
【００４７】
また、図９の例では、識別コード画像９０４は、２ビット×８ビットの矩形領域及び２ビット×６ビットの矩形領域に配置されており、合計２８ビットの識別情報等を格納できる。識別情報等として２８ビットを使用した場合は、約２億７千万通り（２＾２８通り）の識別情報等を表現できるが、２８ビットのうちのいくつかのビットを誤り検出や誤り訂正のための冗長ビットとすることで読取エラーに対処できるようにしてもよい。なお、識別情報等とは、本実施の形態では、少なくとも筆記具情報を含み、他に文書ＩＤ、ページＩＤ等を含めてもよい。例えば、用紙を一意的に識別する用紙識別番号等を含めてもよい。１つの用紙の記入欄内に印刷される単位領域９００内の識別コード画像９０４は同じものとなる。もちろん、単位領域９００内の位置コード画像９０２によって表される位置情報は、その用紙内における位置を示す情報であるので、それぞれの単位領域９００内の位置コード画像９０２は異なったものとなる。
【００４８】
以上の例では、互いに角度が９０度異なる２つの斜線パターンをシンボルとして用いることで、１シンボルで１ビットのデータを表現したが、これは一例にすぎない。例えばシンボルに垂直線と水平線のパターンを追加すれば２ビットの情報を１シンボルで表現できる。このように、１シンボルの斜線パターンの角度種類を増やすことで、１シンボルが表現できるビット数を増加することも可能である。また、グリフコード以外の情報画像を用いてもよい。
【００４９】
デジタルペン３５０（スキャナ付きペン、電子ペンとも言われる）は、利用者による情報画像付文書３４０に対する筆記によって、情報画像を読み取り、筆跡をストローク情報として抽出し、書戻用情報処理装置３６０へ送信する。そして、記入欄に対する記入が適しているデジタルペン３５０で行われているか否かを判断し、適していない場合は警告を発すること等を行う。デジタルペン３５０の構成、処理内容については、図１０以降の図面を用いて後述する。なお、ここでストローク情報とは、情報画像付文書３４０に対してデジタルペン３５０で書き込みを行って得られた座標の系列として表現される情報である。
【００５０】
書戻用情報処理装置３６０は、ストローク情報抽出モジュール３６２、書戻モジュール３６４を有しており、文書ＤＢ３２０、デジタルペン３５０と接続されている。
ストローク情報抽出モジュール３６２は、情報画像付文書３４０に対して書き込まれた筆跡のストローク情報をデジタルペン３５０から取得する機能を持つ。ストローク情報には書き込まれた情報画像付文書３４０の文書ＩＤ、ページ番号、ストローク列（位置情報の列）等が含まれる。
文書ＩＤとは、前述したように図３に例示するシステムにおいて文書を一意に識別するための情報であって、電子文書とそれを印刷した紙文書は同じ文書ＩＤを持つ。手書きによる書き込みの対象となった紙文書を識別して、そのオリジナルの電子文書を特定するために必要とされるものである。なお、デジタルペン３５０がその記入欄を筆記するのに適しているデジタルペンであるか否かを判断するためには、必須の構成ではない。また、電子文書と紙文書の対応関係が特定できれば、別の形態であってもよい。
【００５１】
書戻モジュール３６４は、情報画像付文書３４０に対して、デジタルペン３５０で書き込みが行われたストローク情報を元の電子文書に書き戻しを行うアプリケーションプログラムである。ストローク情報抽出モジュール３６２から受けたストローク情報を、文書ＩＤ、ページＩＤの情報を基にして電子文書上のストローク情報として反映させる処理を行う。
【００５２】
図１０は、本実施の形態（画像読取装置）の構成例についての概念的なモジュール構成図である。本実施の形態である画像処理装置（画像読取装置）は、情報画像が合成された文書を読み取るものであって、図１０の例に示すように、読取モジュール１０１０、情報画像解析モジュール１０２０、判断制御モジュール１０３０、アラームモジュール１０４０、ストローク情報生成モジュール１０５０、送信モジュール１０６０を有している。これらは、図３に例示したデジタルペン３５０に収納されている。
【００５３】
読取モジュール１０１０は、情報画像解析モジュール１０２０と接続されている。読取モジュール１０１０は、紙等の媒体に出力されており、筆記具による筆記位置を抽出するための情報画像を読み取る。ここでの、紙等の媒体とは、文書内の記入欄における筆記具情報とその文書内の位置を示す位置情報とに基づいて生成された情報画像が合成された文書である。前述の例では、情報画像付文書３４０における筆記位置の画像を読み取る。後述する図１２の例の画像読取モジュール１２５２が該当する。
また、読取モジュール１０１０が読み取る情報画像には、さらに文書を示す文書情報が含まれていてもよい。
【００５４】
情報画像解析モジュール１０２０は、位置情報抽出モジュール１０２２、筆記具情報抽出モジュール１０２４、文書関連情報抽出モジュール１０２６を有しており、読取モジュール１０１０、判断制御モジュール１０３０、ストローク情報生成モジュール１０５０と接続されている。
位置情報抽出モジュール１０２２は、読取モジュール１０１０によって読み取られた情報画像を解析して、位置情報を抽出する。つまり、筆記されている位置情報を抽出することになり、この位置情報を用いて筆記情報としてのストローク情報を生成し得ることとなる。
【００５５】
筆記具情報抽出モジュール１０２４は、読取モジュール１０１０によって読み取られた情報画像を解析して、情報画像内の識別情報等から筆記具情報を抽出する。
文書関連情報抽出モジュール１０２６は、読取モジュール１０１０によって読み取られた情報画像を解析して、情報画像内の識別情報等から文書に関連する情報を抽出する。文書に関連する情報として、例えば、文書情報としての文書ＩＤ等がある。
【００５６】
判断制御モジュール１０３０は、判断モジュール１０３２、筆記具情報記憶モジュール１０３４を有しており、情報画像解析モジュール１０２０、アラームモジュール１０４０と接続されている。
筆記具情報記憶モジュール１０３４は、そのデジタルペン（図１０の例に示す本実施の形態（画像読取装置））を示す筆記具情報を記憶する。したがって、デジタルペンに筆記可能な文書の文書ＩＤを記憶させることをしていないので、文書を生成する都度に、デジタルペンにその文書ＩＤを設定するという作業は必要ない。
ここでの筆記具情報とは、そのデジタルペンに関する情報であればよく、筆記具情報記憶モジュール１０３４に予め記憶されている情報であり、例えば、
（１）そのデジタルペンを使用する権限（役職、役割等）を示す情報である権限情報がある。より具体的には、一般、承認、経理担当、経理承認等を示す情報である。
（２）そのデジタルペンを使用する職階を示す情報である職階情報がある。より具体的には、部長、グループ長、チーム長、一般等を示す情報である。
（３）そのデジタルペンを使用する所有者を示す情報である所有者情報がある。より具体的には、社員ＩＤ（ＩＤｅｎｔｉｆｉｃａｔｉｏｎ）等を示す情報である。
（４）そのデジタルペンの属性を示す情報である属性情報がある。より具体的には、そのデジタルペンのインク色等を示す情報である。なお、複数色のインク（芯）を有するデジタルペンである場合は、インク（芯）の選択操作に応じて筆記具情報記憶モジュール１０３４内の筆記具情報を変更するようにしてもよい。例えば、赤インクが選択された場合は、そのことを検知し、赤インクを示す筆記具情報を筆記具情報記憶モジュール１０３４に記憶させる。
（５）そのデジタルペンを識別し得る情報である筆記具識別情報がある。より具体的には、そのデジタルペンを一意に識別し得る製造番号等を示す情報である。
具体的には、筆記具情報記憶モジュール１０３４は、例えば筆記具情報テーブル１４００を記憶する。図１４は、筆記具情報テーブル１４００のデータ構造例を示す説明図である。筆記具情報テーブル１４００は、筆記具情報欄１４１０を有している。筆記具情報欄１４１０は、筆記具情報を記憶する。
また、筆記具情報記憶モジュール１０３４が記憶する筆記具情報は、複数であってもよい。
【００５７】
判断モジュール１０３２は、筆記具情報抽出モジュール１０２４によって抽出された筆記具情報と筆記具情報記憶モジュール１０３４によって記憶されている筆記具情報を比較して、読取モジュール１０１０によって読み取られた位置に対して筆記するデジタルペンとして適しているか否かを判断する。
ここでの判断としては、例えば、筆記具情報抽出モジュール１０２４が抽出した筆記具情報と筆記具情報記憶モジュール１０３４が記憶している筆記具情報が一致している場合に、その位置（具体的には、記入欄ＩＤ欄８１０が読み込んでいる画像の位置である。つまり、筆記しようとしている位置である）に対して筆記するデジタルペンとして適していると判断し（このデジタルペンの筆記位置として適していると判断し）、一致していない場合に、その位置に対して筆記する筆記具として適していないと判断するようにしてもよい。
【００５８】
判断処理としては、筆記具情報が一致しているか否かの判断だけでなくてもよい。例えば、筆記具情報は階層構造を有しており、その階層構造における上位・下位関係を用いて、その位置に対して筆記するデジタルペンとして適しているか否かを判断するようにしてもよい。例えば、筆記具情報として職階情報を採用した場合は、職階は階層構造を有しているので、その階層構造を用いる。つまり、筆記具情報抽出モジュール１０２４によって抽出された筆記具情報が、筆記具情報記憶モジュール１０３４によって記憶されている筆記具情報よりも下位又は同位である場合は、その位置に対して筆記する筆記具として適していると判断するようにしてもよい。したがって、上位の職階は、下位の職階が行うべき筆記を代行できるようになっている。筆記具情報抽出モジュール１０２４によって抽出された筆記具情報が、筆記具情報記憶モジュール１０３４によって記憶されている筆記具情報よりも上位である場合は、その位置に対して筆記する筆記具として適していないと判断するようにしてもよい。したがって、下位の職階は、上位の職階が行うべき筆記を代行できないようになっている。
図１６は、職階の階層構造の例を示す説明図である。図１６の例は、部長ＩＤ１６００の下位には、Ｇ１長ＩＤ１６１０、Ｇ２長ＩＤ１６２０、Ｇ３長ＩＤ１６３０があり、Ｇ１長ＩＤ１６１０の下位には、Ｇ１１員ＩＤ１６１１、Ｇ１２員ＩＤ１６１２、Ｇ１３員ＩＤ１６１３があり、Ｇ２長ＩＤ１６２０の下位には、Ｇ２１員ＩＤ１６２１、Ｇ２２員ＩＤ１６２２、Ｇ２３員ＩＤ１６２３、Ｇ２４員ＩＤ１６２４、Ｇ２５員ＩＤ１６２５があり、Ｇ３長ＩＤ１６３０の下位には、Ｇ３１員ＩＤ１６３１、Ｇ３２員ＩＤ１６３２があることを示している。このような職階の階層構造を全て筆記具情報記憶モジュール１０３４に記憶させておくことにより、筆記具として適しているか否かの判断に用いることができる。例えば、筆記具情報記憶モジュール１０３４が記憶している筆記具情報がＧ２長ＩＤ１６２０であり、筆記具情報抽出モジュール１０２４が抽出した筆記具情報がＧ２５員ＩＤ１６２５である場合は、その位置に対して筆記する筆記具として適していると判断する。また、筆記具情報抽出モジュール１０２４が抽出した筆記具情報が部長ＩＤ１６００である場合は、その位置に対して筆記する筆記具として適していないと判断する。また、職階の階層構造のうち、階層の違いに関する情報を筆記具情報の一部に用いることにより、筆記具として適しているか否かの判断に用いることも可能である。図１６では、部長が第１層、Ｇ１長〜Ｇ３長が第２層、各Ｇ長の配下の各Ｇ員が第３層の３層構造を有している。ここで、第１層をＡ、第２層をＢ、第３層をＣと表し、これらの繋がりを筆記具情報として利用するようにしてもよい。この場合、部長のＩＤは「Ａ」、各Ｇ長のＩＤは「Ａ−Ｂ」、各Ｇ員のＩＤは「Ａ−Ｂ−Ｃ」となる。このような構造の情報を示すＩＤを利用することによっても、筆記具情報の階層構造の上位・下位関係が明確になるため、筆記具として適しているか否かの判断に利用しうる。なお、前述のＡ，Ｂ，Ｃは、各利用者のＩＤを用いてもよい。
【００５９】
アラームモジュール１０４０は、判断制御モジュール１０３０と接続されており、判断モジュール１０３２によって、読取モジュール１０１０によって読み取られた位置に対して筆記するデジタルペンとして適していないと判断された場合に警告を発する。例えば、スピーカー、光源、振動装置等が含まれていてもよい。発する警告の態様としては、音（警告音、音声による注意等）、光（光源の点滅、予め定められた色の出力等）、振動であってもよい。
判断モジュール１０３２が行う判断及びアラームモジュール１０４０が警告を発するときは、実際に筆記が行われているか否かには関係しない。筆記を行う前に読取モジュール１０１０が情報画像を読み取った場合は、筆記が行われる前に警告を発することもあるし、筆記を行っている途中で読取モジュール１０１０が情報画像を読み取った場合は、筆記が行われているときに警告を発することとなる。
また、警告の終了は、警告を発してから予め定められた時間後であってもよいし、判断モジュール１０３２によって、読取モジュール１０１０によって読み取られた位置に対して筆記するデジタルペンとして適していると判断するまでとしてもよいし、操作者によって警告を強制的に終了させる操作があるまでとしてもよい。
【００６０】
また、アラームモジュール１０４０は、判断モジュール１０３２によって、読取モジュール１０１０によって読み取られた位置に対して筆記するデジタルペンとして適していないと判断された場合に、そのデジタルペンによる筆記を行わせないよう制御するようにしてもよい。例えば、デジタルペンのペン先を収納する機構を有しており、デジタルペンが適していないと判断された場合は、ペン先を収納して筆記できないように制御してもよい。また、デジタルペンの筆記機構としてインクジェット式を採用した場合は、デジタルペンが適していないと判断された場合は、そのインクジェットによるインクの噴射を中止して筆記できないように制御してもよい。
【００６１】
また、アラームモジュール１０４０は、判断モジュール１０３２によって、読取モジュール１０１０によって読み取られた位置に対して筆記するデジタルペンとして適していないと判断された場合に、送信モジュール１０６０に位置情報抽出モジュール１０２２によって抽出された位置情報を出力しないよう制御するようにしてもよい。例えば、送信モジュール１０６０に位置情報を出力しないように制御するとは、位置情報抽出モジュール１０２２に位置情報を抽出させないようにしてもよいし、位置情報抽出モジュール１０２２によって抽出された位置情報を記憶させないようにしてもよいし、ストローク情報生成モジュール１０５０によるストローク情報を生成させないようにしてもよいし、送信モジュール１０６０による送信を行わせないようにしてもよい。
また、アラームモジュール１０４０は、警告、デジタルペンによる筆記を行わせないように制御すること、位置情報を出力しないように制御すること、いずれか２つ以上を組み合わせてもよい。
【００６２】
ストローク情報生成モジュール１０５０は、情報画像解析モジュール１０２０、送信モジュール１０６０と接続されている。ストローク情報生成モジュール１０５０は、位置情報抽出モジュール１０２２によって抽出された位置情報、文書関連情報抽出モジュール１０２６によって抽出された文書関連情報に基づいて、ストローク情報を生成する。例えば、ストローク情報テーブル１３００を生成するようにしてもよい。図１３は、ストローク情報テーブル１３００のデータ構造例を示す説明図である。ストローク情報テーブル１３００は、文書ＩＤ欄１３１０、Ｘ座標欄１３２０、Ｙ座標欄１３３０を有している。文書ＩＤ欄１３１０は、文書関連情報抽出モジュール１０２６によって抽出された文書関連情報である文書ＩＤを記憶する。Ｘ座標欄１３２０、Ｙ座標欄１３３０は、位置情報抽出モジュール１０２２によって抽出された位置情報であるＸ座標、Ｙ座標を記憶する。
【００６３】
送信モジュール１０６０は、ストローク情報生成モジュール１０５０と接続されている。送信モジュール１０６０は、ストローク情報生成モジュール１０５０によって生成されたストローク情報を前述の書戻用情報処理装置３６０に送信する。なお、生成されたストローク情報は図示しないストローク情報記憶モジュールに蓄積され、画像読取装置（デジタルペン３５０）と書戻用情報処理装置３６０が接続された際に、送信モジュール１０６０が、ストローク情報記憶モジュールに蓄積されたストローク情報を書戻用情報処理装置３６０に送信する構成としてもよい。
【００６４】
図１１は、本実施の形態（画像読取装置）による処理例を示すフローチャートである。
ステップＳ１１０２では、読取モジュール１０１０が、情報画像付文書３４０に印刷された情報画像を読み取る。
ステップＳ１１０４では、文書関連情報抽出モジュール１０２６が、情報画像内から文書ＩＤ等を抽出する。
ステップＳ１１０６では、筆記具情報抽出モジュール１０２４が、情報画像内から筆記具情報を抽出する。
ステップＳ１１０８では、判断モジュール１０３２が、筆記具情報があるか否かを判断し、ある場合はステップＳ１１１０へ進み、それ以外の場合はステップＳ１１１４へ進む。
ステップＳ１１１０では、判断モジュール１０３２が、その記入位置に適している筆記具であるか否かを判断し、適している筆記具である場合はステップＳ１１１４へ進み、それ以外の場合はステップＳ１１１２へ進む。
【００６５】
ステップＳ１１１２では、アラームモジュール１０４０が、適していない筆記具であることを示すアラームを発生する。
ステップＳ１１１４では、位置情報抽出モジュール１０２２が、位置情報を抽出する。
ステップＳ１１１６では、ストローク情報生成モジュール１０５０が、ストローク情報を生成する。
ステップＳ１１１８では、送信モジュール１０６０が、ストローク情報を送信する。
【００６６】
図１２は、デジタルペン３５０の構造例を示す説明図である。デジタルペン３５０は、芯１２５１、画像読取モジュール１２５２、制御・送信モジュール１２５３を有している。図１０に例示した読取モジュール１０１０は画像読取モジュール１２５２によって実現され、情報画像解析モジュール１０２０、判断制御モジュール１０３０、アラームモジュール１０４０、ストローク情報生成モジュール１０５０、送信モジュール１０６０は、制御・送信モジュール１２５３によって実現される。
【００６７】
デジタルペン３５０の操作者の操作に応じて、芯１２５１によって情報画像付文書３４０上に文字等が筆記される。そして、画像読取モジュール１２５２は、例えば数十〜百数十フレーム毎秒程度の比較的高速な連続撮像を行い、フレーム毎にスキャンしてから読取画像を制御・送信モジュール１２５３へ出力する。制御・送信モジュール１２５３は、画像読取モジュール１２５２が読み取った画像中から同期コード９０６を検出する。図９の例のようなコードパターン画像の場合、右上がりの斜線パターンが連続して現れる行及び列を同期コード９０６の行、列として検出する。なお、同期コードとしては図９に例示したもの以外にも従来から提案されている様々なものを用いることができ、その同期コードの種類に応じた従来からある検出方式で検出できる。
【００６８】
読取画像から、位置コード画像９０２と識別コード画像９０４とが抽出される。制御・送信モジュール１２５３は、それら位置コード画像９０２と識別コード画像９０４に対してコード認識処理を施すことで、位置情報と識別情報等を再生する。ここで行われるコード認識処理は、大略的にいえば、情報画像の生成処理の逆の処理である。識別コード画像９０４を代表として説明すると、制御・送信モジュール１２５３は、まず識別コード画像９０４から各斜線シンボルを認識することで、各シンボルの値を求め、各シンボルの値を識別コード画像９０４中での各シンボルの配列位置に合わせて配列した識別コード行列を求める。そして、この識別コード行列に対し、直列的（シリアル）な識別コードを求め、この識別コードに対し、符号化方式に対応した復号処理を施すことで、識別情報を復号する。位置コード画像９０２についても、同等の処理により、位置情報を復号できる。１フレーム毎に前述の抽出及び認識の処理を行い、位置情報及び識別情報等を求める。
【００６９】
このようにして各フレームの読取画像から求められた位置情報及び識別情報は、これら情報を利用する書戻用情報処理装置３６０に提供され、利用される。例えば、情報画像が印刷された用紙に対し、操作者がデジタルペン３５０で書き込んだ筆記跡を電子情報として取り込む書戻用情報処理装置３６０の場合、識別情報からその用紙を特定してその用紙の原文書を取得し、連続して読み取られる各フレームから取得した位置情報から操作者の筆記の軌跡を求め、その軌跡を示す画像を原文書に重畳して記録するなどの処理を行う。
【００７０】
図１５は、本実施の形態（画像読取装置）による別の処理例を示すフローチャートである。これは、アラームモジュール１０４０が、位置情報を記憶させないように制御し、警告を発する処理例を示している。
ステップＳ１５０２では、読取モジュール１０１０が、情報画像付文書３４０に印刷された情報画像を読み取る。
ステップＳ１５０４では、文書関連情報抽出モジュール１０２６が、情報画像内から文書ＩＤ等を抽出する。
ステップＳ１５０６では、位置情報抽出モジュール１０２２が、位置情報を抽出する。
ステップＳ１５０８では、筆記具情報抽出モジュール１０２４が、情報画像内から筆記具情報を抽出する。
ステップＳ１５１０では、判断モジュール１０３２が、その記入位置に適している筆記具であるか否かを判断し、適している筆記具である場合はステップＳ１５１２へ進み、それ以外の場合はステップＳ１５１８へ進む。
【００７１】
ステップＳ１５１２では、位置情報抽出モジュール１０２２が、ステップＳ１５０６で抽出した位置情報を記憶する。
ステップＳ１５１４では、ストローク情報生成モジュール１０５０が、ストローク情報を生成する。
ステップＳ１５１６では、送信モジュール１０６０が、ストローク情報を送信する。
ステップＳ１５１８では、アラームモジュール１０４０が、ステップＳ１５０６で抽出した位置情報を記憶させない。
ステップＳ１５２０では、アラームモジュール１０４０が、適していない筆記具であることを示すアラームを発生する。
【００７２】
前述の例では、記入欄に合成する情報画像に埋め込む筆記具情報は１つ（図５に例示した記入欄・筆記具情報テーブル５００では、筆記具情報欄５２０が１つ）であるが、複数の筆記具情報を組み合わせてもよい。例えば、記入欄・筆記具情報テーブル５００の代わりに記入欄・筆記具情報テーブル１７００を用いてもよい。図１７は、記入欄・筆記具情報テーブル１７００のデータ構造例を示す説明図である。記入欄・筆記具情報テーブル１７００は、記入欄ＩＤ欄１７１０、筆記具情報名Ａ欄１７２０、筆記具情報Ａ欄１７３０、筆記具情報名Ｂ欄１７４０、筆記具情報Ｂ欄１７５０を有している。記入欄ＩＤ欄１７１０は、図３に例示するシステムにおいて記入欄を一意に識別するための情報である記入欄ＩＤを記憶し、筆記具情報名Ａ欄１７２０は、筆記具情報Ａ欄１７３０が記憶する筆記具情報の名称を記憶し、筆記具情報Ａ欄１７３０は、第１の筆記具情報を記憶し、筆記具情報名Ｂ欄１７４０は、筆記具情報Ｂ欄１７５０が記憶する筆記具情報の名称を記憶し、筆記具情報Ｂ欄１７５０は、第２の筆記具情報を記憶する。これは、２つの筆記具情報をＡＮＤで指定したものである。例えば、記入欄ｂは、記入権限：一般であり、かつ、ペン色：青であるデジタルペンで筆記されることを設定していることになる。
【００７３】
前述の例では、デジタルペンの筆記具情報記憶モジュール１０３４が記憶する筆記具情報は１つ（図１４に例示した筆記具情報テーブル１４００では、筆記具情報欄１４１０が１つ）であるが、複数の筆記具情報を記憶していてもよい。例えば、筆記具情報テーブル１４００の代わりに筆記具情報テーブル１８００を用いてもよい。図１８は、筆記具情報テーブル１８００のデータ構造例を示す説明図である。筆記具情報テーブル１８００は、筆記具情報名Ａ欄１８１０、筆記具情報Ａ欄１８２０、筆記具情報名Ｂ欄１８３０、筆記具情報Ｂ欄１８４０、筆記具情報名Ｃ欄１８５０、筆記具情報Ｃ欄１８６０を有している。筆記具情報名Ａ欄１８１０は、筆記具情報Ａ欄１８２０が記憶する筆記具情報の名称を記憶し、筆記具情報Ａ欄１８２０は、第１の筆記具情報を記憶し、筆記具情報名Ｂ欄１８３０は、筆記具情報Ｂ欄１８４０が記憶する筆記具情報の名称を記憶し、筆記具情報Ｂ欄１８４０は、第２の筆記具情報を記憶し、筆記具情報名Ｃ欄１８５０は、筆記具情報Ｃ欄１８６０が記憶する筆記具情報の名称を記憶し、筆記具情報Ｃ欄１８６０は、第３の筆記具情報を記憶する。このデジタルペンは、図１７に例示の記入欄・筆記具情報テーブル１７００を用いて生成された情報画像が合成された文書の場合は、記入欄ｂに対して筆記することができ、他の記入欄を筆記しようとすると、筆記に適していないことを示すアラームが発せられることになる。
この処理を説明する。情報画像内に埋め込まれている筆記具情報名と筆記具情報の組を抽出し、筆記具情報テーブル１８００内に同じ筆記具情報名があり、その筆記具情報も同じ（階層構造を有している場合は、上位又は同位）であるならば、その位置に対して筆記するデジタルペンとして適していると判断し、筆記具情報テーブル１８００内に情報画像から抽出した筆記具情報名がない場合、又は筆記具情報テーブル１８００内に情報画像から抽出した筆記具情報名はあるが、その筆記具情報が異なる場合は、筆記に適していないことを示すアラームが発せられることになる。
【００７４】
また、デジタルペン３５０の筆記具情報記憶モジュール１０３４は、そのデジタルペンを使用できる期間を示す情報である使用期間情報を記憶していてもよい。より具体的には、絶対的な期間（例えば、○○年○○月○○日○○時まで等）、相対的な期間（例えば、予め定められた操作による初期設定が行われた時から○○時間まで等）等がある。そして、判断モジュール１０３２は、現在が使用期間内でないならば、筆記に適していないデジタルペンであると判断してもよい。特に、この判断は、筆記具情報抽出モジュール１０２４によって抽出された筆記具情報と筆記具情報記憶モジュール１０３４によって記憶されている筆記具情報を比較する処理を行う前に行うようにしてもよい。
【００７５】
図１９を参照して、本実施の形態の画像処理装置（画像出力装置、文書作成用情報処理装置３１０、書戻用情報処理装置３６０、画像読取装置）のハードウェア構成例について説明する。図１９に示す構成は、例えばパーソナルコンピュータ（ＰＣ）などによって構成されるものであり、スキャナ等のデータ読み取り部１９１７と、プリンタなどのデータ出力部１９１８を備えたハードウェア構成例を示している。なお、画像読取装置としてのデジタルペン３５０は、ＣＰＵ１９０１、ＲＯＭ（Ｒｅａｄ  Ｏｎｌｙ  Ｍｅｍｏｒｙ）１９０２、ＲＡＭ１９０３、データ読み取り部１９１７、通信部１９１６、これらを接続するバス等によって構成されている。
【００７６】
ＣＰＵ（Ｃｅｎｔｒａｌ  Ｐｒｏｃｅｓｓｉｎｇ  Ｕｎｉｔ）１９０１は、前述の実施の形態において説明した各種のモジュール、すなわち、筆記具情報受付モジュール１１０、文書レイアウト受付モジュール１２０、文書受付モジュール１３０、情報画像生成モジュール１４０、情報画像合成モジュール１５０、文書作成アプリケーション３１２、筆記具情報指定モジュール３１４、ストローク情報抽出モジュール３６２、書戻モジュール３６４等の各モジュールの実行シーケンスを記述したコンピュータ・プログラムにしたがった処理を実行する制御部である。
【００７７】
ＲＯＭ（Ｒｅａｄ  Ｏｎｌｙ  Ｍｅｍｏｒｙ）１９０２は、ＣＰＵ１９０１が使用するプログラムや演算パラメータ等を格納する。ＲＡＭ（Ｒａｎｄｏｍ  Ａｃｃｅｓｓ  Ｍｅｍｏｒｙ）１９０３は、ＣＰＵ１９０１の実行において使用するプログラムや、その実行において適宜変化するパラメータ等を格納する。これらはＣＰＵバスなどから構成されるホストバス１９０４により相互に接続されている。
【００７８】
ホストバス１９０４は、ブリッジ１９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１９０６に接続されている。
【００７９】
キーボード１９０８、マウス等のポインティングデバイス１９０９は、操作者により操作される入力デバイスである。ディスプレイ１９１０は、液晶表示装置又はＣＲＴ（Ｃａｔｈｏｄｅ  Ｒａｙ  Ｔｕｂｅ）などがあり、各種情報をテキストやイメージ情報として表示する。
【００８０】
ＨＤＤ（Ｈａｒｄ  Ｄｉｓｋ  Ｄｒｉｖｅ）１９１１は、ハードディスクを内蔵し、ハードディスクを駆動し、ＣＰＵ１９０１によって実行するプログラムや情報を記録又は再生させる。ハードディスクには、受け付けた電子文書、情報画像、情報画像が合成された電子文書、文書ＩＤなどが格納される。さらに、その他の各種のデータ処理プログラム等、各種コンピュータ・プログラムが格納される。
【００８１】
ドライブ１９１２は、装着されている磁気ディスク、光ディスク、光磁気ディスク、又は半導体メモリ等のリムーバブル記録媒体１９１３に記録されているデータ又はプログラムを読み出して、そのデータ又はプログラムを、インタフェース１９０７、外部バス１９０６、ブリッジ１９０５、及びホストバス１９０４を介して接続されているＲＡＭ１９０３に供給する。リムーバブル記録媒体１９１３も、ハードディスクと同様のデータ記録領域として利用可能である。
【００８２】
接続ポート１９１４は、外部接続機器１９１５を接続するポートであり、ＵＳＢ、ＩＥＥＥ１３９４等の接続部を持つ。接続ポート１９１４は、インタフェース１９０７、及び外部バス１９０６、ブリッジ１９０５、ホストバス１９０４等を介してＣＰＵ１９０１等に接続されている。通信部１９１６は、ネットワークに接続され、外部とのデータ通信処理を実行する。データ読み取り部１９１７は、例えばスキャナであり、ドキュメントの読み取り処理を実行する。データ出力部１９１８は、例えばプリンタであり、ドキュメントデータの出力処理を実行する。
【００８３】
なお、図１９に示す画像処理装置のハードウェア構成は、１つの構成例を示すものであり、本実施の形態は、図１９に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１９に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）などに組み込まれていてもよい。
【００８４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００８５】
１１０…筆記具情報受付モジュール
１２０…文書レイアウト受付モジュール
１３０…文書受付モジュール
１４０…情報画像生成モジュール
１５０…情報画像合成モジュール
１６０…出力モジュール
３１０…文書作成用情報処理装置
３１２…文書作成アプリケーション
３１４…筆記具情報指定モジュール
３２０…文書ＤＢ
３３０…情報画像生成用画像処理装置
３４０…情報画像付文書
３５０…デジタルペン
３６０…書戻用情報処理装置
３６２…ストローク情報抽出モジュール
３６４…書戻モジュール
１０１０…読取モジュール
１０２０…情報画像解析モジュール
１０２２…位置情報抽出モジュール
１０２４…筆記具情報抽出モジュール
１０２６…文書関連情報抽出モジュール
１０３０…判断制御モジュール
１０３２…判断モジュール
１０３４…筆記具情報記憶モジュール
１０４０…アラームモジュール
１０５０…ストローク情報生成モジュール
１０６０…送信モジュール
１２５１…芯
１２５２…画像読取モジュール
１２５３…制御・送信モジュール
【図１】
0005732861.tif 000002
【図２】
0005732861.tif 000003
【図３】
0005732861.tif 000004
【図４】
0005732861.tif 000005
【図５】
0005732861.tif 000006
【図６】
0005732861.tif 000007
【図７】
0005732861.tif 000008
【図８】
0005732861.tif 000009
【図９】
0005732861.tif 000010
【図１０】
0005732861.tif 000011
【図１１】
0005732861.tif 000012
【図１２】
0005732861.tif 000013
【図１３】
0005732861.tif 000014
【図１４】
0005732861.tif 000015
【図１５】
0005732861.tif 000016
【図１６】
0005732861.tif 000017
【図１７】
0005732861.tif 000018
【図１８】
0005732861.tif 000019
【図１９】
0005732861.tif 000020